(57)【要約】  リップル低減回路が提供される。リップル低減回路は、発光ダイオード（ＬＥＤ）ストリングの少なくとも第１セグメントを駆動するように構成されるリップルコンデンサと、リップルコンデンサに接続されるアノード、及び第１ＬＥＤセグメントの入力端に接続されるように構成されるカソードを有する第１ダイオードと、リップルコンデンサと第１ダイオードのアノードとに接続されるカソード、及びＬＥＤストリングの第１ＬＥＤセグメントと第２ＬＥＤセグメントとの間に接続されるように構成されるアノードを有する第２ダイオードと、リップルコンデンサに接続されるアノード、及びＬＥＤストリングの最終ＬＥＤセグメントに接続されるように構成されるカソードを有する第３ダイオードと、リップルコンデンサと第３ダイオードのアノードとに接続されるカソードを有する第４ダイオードとを含んでもよい。
2018530117.tif 000002
【特許請求の範囲】
【請求項１】
発光ダイオード（ＬＥＤ）ストリングの少なくとも第１セグメントを駆動するように構成されるリップルコンデンサと、
前記リップルコンデンサに接続されるアノード、及び前記第１ＬＥＤセグメントの入力端に接続されるように構成されるカソードを有する第１ダイオードと、
前記リップルコンデンサと前記第１ダイオードの前記アノードとに接続されるカソード、及び前記ＬＥＤストリングの前記第１ＬＥＤセグメントと第２ＬＥＤセグメントとの間に接続されるように構成されるアノードを有する第２ダイオードと、
前記リップルコンデンサに接続されるアノード、及び前記ＬＥＤストリングの最終ＬＥＤセグメントに接続されるように構成されるカソードを有する第３ダイオードと、
前記リップルコンデンサと前記第３ダイオードの前記アノードとに接続されるカソードを有する第４ダイオードとを備えるリップル低減回路。
【請求項２】
前記第４ダイオードが、接地されるアノードを備える、請求項１に記載のリップル低減回路。
【請求項３】
前記第４ダイオードが、ＬＥＤドライバ回路の単一制御点に接続された分圧回路に接続されるように構成されるアノードを備える、請求項１に記載のリップル低減回路。
【請求項４】
前記ＬＥＤドライバ回路が、
前記ＬＥＤストリングの前記第１セグメントと前記第２セグメントとの間において前記ＬＥＤストリングに接続されるとともに前記第２ダイオードの前記アノードに接続される第１電流調整器と、
前記ＬＥＤストリングの前記最終セグメントに接続されるとともに前記第３ダイオードの前記カソードに接続される第４電流調整器とを備える、請求項３に記載のリップル低減回路。
【請求項５】
前記ＬＥＤドライバ回路が、
前記ＬＥＤストリングの第２セグメントと前記ＬＥＤストリングの第３セグメントとの間において前記ＬＥＤストリングに接続される第２電流調整器と、
前記ＬＥＤストリングの前記第３セグメントと前記最終セグメントとの間において前記ＬＥＤストリングに接続される第３電流調整器とを更に備える、請求項４に記載のリップル低減回路。
【請求項６】
前記ＬＥＤドライバ回路が、
前記第１ＬＥＤセグメントと前記第２ＬＥＤセグメントとの間において前記ＬＥＤストリングに接続されるとともに前記第２ダイオードの前記アノードに接続される第１電流制御器と、
前記最終ＬＥＤセグメントに接続されるとともに前記第３ダイオードの前記カソードに接続される第４電流調整器とを備える、請求項３に記載のリップル低減回路。
【請求項７】
前記ＬＥＤドライバ回路が、
前記ＬＥＤストリングの前記第２セグメントと第３セグメントとの間において前記ＬＥＤストリングに接続される第２電流調整器と、
前記第３セグメントと前記最終ＬＥＤセグメントとの間において前記ＬＥＤストリングに接続される第３電流調整器とを更に備える、請求項６に記載のリップル低減回路。
【請求項８】
発光ダイオード（ＬＥＤ）ストリングの少なくとも第１セグメントを駆動するように構成されるリップルコンデンサと、
前記リップルコンデンサに接続されるアノード、及び前記第１ＬＥＤセグメントの入力端に接続されるように構成されるカソードを有する第１ダイオードと、
前記リップルコンデンサと前記第１ダイオードの前記アノードとに接続されるカソード、及び前記第１ＬＥＤセグメントにおける２つのＬＥＤの間に接続されるように構成されるアノードを有する第２ダイオードと、
前記リップルコンデンサに接続されるカソード、及び接地されるアノードを有する第３ダイオードと、
前記リップルコンデンサに接続されるアノード、及び前記ＬＥＤストリングの第４ＬＥＤセグメントにおける２つのＬＥＤに接続されるカソードを有する第４ダイオードとを備えるリップル低減回路。
【請求項９】
前記ＬＥＤストリングの前記第１ＬＥＤセグメントと第２ＬＥＤセグメントとの間において前記ＬＥＤストリングに接続される第１電流調整器を更に備える、請求項８に記載のリップル低減回路。
【請求項１０】
前記ＬＥＤストリングの前記第２ＬＥＤセグメントと第３ＬＥＤセグメントとの間において前記ＬＥＤストリングに接続される第２電流調整器を更に備える、請求項９に記載のリップル低減回路。
【請求項１１】
前記第３ＬＥＤセグメントと前記第４ＬＥＤセグメントとの間において前記ＬＥＤストリングに接続される第３電流調整器を更に備える、請求項１０に記載のリップル低減回路。
【請求項１２】
前記第４ＬＥＤセグメントに接続される第４電流調整器を更に備える、請求項１１に記載のリップル低減回路。
【発明の詳細な説明】
【技術分野】
【０００１】
（関連出願の相互参照）
本願は、２０１５年１０月１日付で出願された米国仮特許出願第６２／２３５，６２９の利益を主張するものであり、この出願の全体が参照によって本明細書に組み込まれる。
【０００２】
本開示は、概して、ＬＥＤからの光出力におけるリップルの量を低減するシーケンシャルリニアＬＥＤドライバ回路に関する。
【背景技術】
【０００３】
シーケンシャルリニアＬＥＤドライバは長いＬＥＤストリングで構成されており、ＬＥＤはそのストリングに沿った複数の位置でタップ接続され、各タップ位置には電流調整器が接続される。整流ＡＣ電圧が立ち上がるにつれて、下流のＬＥＤストリングセグメントが付勢されて、下流調整器による調整が完了すると上流の全ての調整器が停止する。これにより、電流調整器が通電している時の電流調整器における電圧が制限されるため、電力損失を最小限に抑えるとともに効率を最大化できる。
【０００４】
しかしながら、整流ＡＣ電圧が第１ＬＥＤセグメントの電圧降下よりも小さい場合、光出力の量はゼロとなる。図１に示すように、光出力は断続的であり、整流電圧が第１ＬＥＤセグメント電圧の降下よりも大きく降下して光が出力されない期間がある。この断続的な光は、特に室内での適用において、視覚的に煩わしいものとなって、シーケンシャルリニアＬＥＤドライバの使用を実質的に制限する。
【０００５】
図２は関連技術からの回路を示し、この回路では、電力を蓄えるためにコンデンサが使用されるが、コンデンサを充電する電流は制御されないため、ＡＣ線から大きな電流スパイクが引き出される（ピーク充電）。これにより、ＡＣ線間電流波形が大きく変形し、ドライバが調光器と適合しなくなってしまう。このため、光出力リップルを低減して、室内での適用といった幅広い適用に適しており、同時に比較的滑らかな線間電流波形及び調光器との適合性を提供するシーケンシャルリニアＬＥＤドライバを実現するＬＥＤドライバ回路が必要とされている。
【発明の概要】
【発明が解決しようとする課題】
【０００６】
本開示の１つ以上の例示的な実施例の態様によれば、生じる光出力リップルが低く、ＬＥＤストリングの少なくとも１つのセグメントを通過する全ての有効電流パスを付勢して、（後述する待機位相以外の）全ての動作位相の間、連続的な光出力を可能にする回路が提供される。また、１つ以上の例示的な実施例によれば、電流が単一制御点を通過するようになっている。単一制御点は、入力電流波形の制御を容易にし且つリップル低減回路のピーク充電を回避する。
【課題を解決するための手段】
【０００７】
１つ以上の例示的な実施例によれば、リップル低減回路が提供される。１つ以上の例示的な実施例に係るリップル低減回路は、発光ダイオード（ＬＥＤ）ストリングの少なくとも第１セグメントを駆動するように構成されるリップルコンデンサと、リップルコンデンサに接続されるアノード、及び第１ＬＥＤセグメントの入力端に接続されるように構成されるカソードを有する第１ダイオードと、リップルコンデンサと第１ダイオードのアノードとに接続されるカソード、及びＬＥＤストリングの第１ＬＥＤセグメントと第２セグメントとの間に接続されるように構成されるアノードを有する第２ダイオードと、リップルコンデンサに接続されるアノード、及びＬＥＤストリングの最終セグメントに接続されるように構成されるカソードを有する第３ダイオードと、リップルコンデンサと第３ダイオードのアノードとに接続されるカソードを有する第４ダイオードとを含んでもよい。
【０００８】
第４ダイオードは、接地されるアノードを含んでもよい。
【０００９】
第４ダイオードは、ＬＥＤドライバ回路の単一制御点に接続された分圧回路に接続されるように構成されるアノードを含んでもよい。
【００１０】
ＬＥＤドライバ回路は、ＬＥＤストリングの第１セグメントと第２セグメントとの間においてＬＥＤストリングに接続されるとともに第２ダイオードのアノードに接続される第１電流調整器と、最終ＬＥＤセグメントに接続されるとともに第３ダイオードのカソードに接続される第４電流調整器とを含んでもよい。ＬＥＤドライバ回路は、ＬＥＤストリングの第２セグメントとＬＥＤストリングの第３セグメントとの間においてＬＥＤストリングに接続される第２電流調整器と、ＬＥＤストリングの第３ＬＥＤセグメントと最終ＬＥＤセグメントとの間においてＬＥＤストリングに接続される第３電流調整器とを更に含んでもよい。
【００１１】
１つ以上の例示的な実施例の他の態様によれば、発光ダイオード（ＬＥＤ）ストリングの少なくとも第１セグメントを駆動するように構成されるリップルコンデンサと、リップルコンデンサに接続されるアノード、及び第１ＬＥＤセグメントの入力端に接続されるように構成されるカソードを有する第１ダイオードと、リップルコンデンサと第１ダイオードのアノードとに接続されるカソード、及び第１ＬＥＤセグメントにおける２つのＬＥＤの間に接続されるように構成されるアノードを有する第２ダイオードと、リップルコンデンサに接続されるカソード、及び接地されるアノードを有する第３ダイオードと、リップルコンデンサに接続されるアノード、及びＬＥＤストリングの第４ＬＥＤセグメントの２つのＬＥＤに接続されるカソードを有する第４ダイオードとを含むリップル低減回路が提供される。
【００１２】
例示的な実施例に係るリップル低減回路は、第１ＬＥＤセグメントと第２ＬＥＤセグメントとの間においてＬＥＤストリングに接続される第１電流調整器、第２ＬＥＤセグメントと第３ＬＥＤセグメントとの間においてＬＥＤストリングに接続される第２電流調整器、第３ＬＥＤセグメントと第４ＬＥＤセグメントとの間においてＬＥＤストリングに接続される第３電流調整器、及び／又は第４ＬＥＤセグメントにおけるＬＥＤストリングに接続される第４電流調整器を含んでもよい。
【図面の簡単な説明】
【００１３】
【図１】整流ＡＣ電圧に関する関連技術のＬＥＤドライバによる光出力を示す光出力波形を示す。
【図２】関連技術のＬＥＤドライバ回路を示す。
【図３】例示的な実施例に係るシーケンシャルリニアＬＥＤドライバ回路用のリップル低減回路を示す。
【図４】他の例示的な実施例に係るリップル低減回路を示す。
【図５】図４の例示的な実施例に係るリップル低減回路の動作における維持位相を示す。
【図６】図４の例示的な実施例に係るリップル低減回路の動作における直接位相を示す。
【図７】図４の例示的な実施例に係るリップル低減回路の動作における再充電位相を示す。
【図８】更に他の例示的な実施例に係るリップル低減回路を示す。
【発明を実施するための形態】
【００１４】
以下の例示的な実施例について、全体を通して同様の要素に同様の参照符号が付された添付の図面に示し、詳述する。例示的な実施例は、本明細書に記載の例示的な実施例に限定されず、様々な形態で実施されてもよい。また、明確性のために、既知の部分に関する説明は省略する。
【実施例１】
【００１５】
図３は、例示的な実施例に係るシーケンシャルリニアＬＥＤドライバ回路用のリップル低減回路を示す。４つの段階が示されているが、リップル低減回路はどの段階にも適用できる。例示的な実施例に係る回路は、第１電流調整器３００と、第２電流調整器３０５と、第３電流調整器３１０と、第４電流調整器３１５とを含んでもよい。調整器のそれぞれが、誤差増幅器と電界効果トランジスタ（ＦＥＴ）とを含んでもよい。各誤差増幅器の正極入力が抵抗分圧器３２０に接続されてもよい。誤差増幅器は異なる接続点で抵抗分圧器３２０に接続されてもよく、例えばＶＲＥＦ４＞ＶＲＥＦ３＞ＶＲＥＦ２＞ＶＲＥＦ１となるように、ＶＲＥＦ４は第４電流調整器３１５における誤差増幅器３１６の正極入力に接続され、ＶＲＥＦ３は第３電流調整器３１０における誤差増幅器３１１の正極入力に接続され、ＶＲＥＦ２は第２電流調整器３０５における誤差増幅器３０６の正極入力に接続され、ＶＲＥＦ１は第１電流調整器３００における誤差増幅器３０１の正極入力に接続される。各誤差増幅器３０１，３０６，３１１及び３１６の出力が、第１電流調整器３００、第２電流調整器３０５、第３電流調整器３１０及び第４電流調整器３１５それぞれのＦＥＴ３０２，３０７，３１２及び３１７のゲートにそれぞれ接続されてもよい。ＦＥＴ３０２，３０７，３１２及び３１７のソースが、誤差増幅器３０１，３０６，３１１及び３１６の負極入力にそれぞれ接続されてもよい。各ＦＥＴのドレインが、ＬＥＤストリングの２つのセグメントの間に接続されてもよい。例えば、ＦＥＴ３０２のドレインは第１ＬＥＤセグメントＳＥＧ１と第２ＬＥＤセグメントＳＥＧ２との間に接続されてもよい。ＦＥＴ３０７のドレインは第２ＬＥＤセグメントＳＥＧ２と第３ＬＥＤセグメントＳＥＧ３との間に接続されてもよい。ＦＥＴ３１２のドレインは第３ＬＥＤセグメントＳＥＧ３と第４ＬＥＤセグメントＳＥＧ４との間に接続されてもよい。ＦＥＴ３１７のドレインは第４ＬＥＤセグメントＳＥＧ４の出力に接続されてもよい。第１ＬＥＤセグメントＳＥＧ１は、１つ以上の他のＬＥＤに並列接続される１つ以上のＬＥＤを含んでもよい。ＦＥＴ３０２，３０７，３１２及び３１７のソースは、単一共有制御点ＣＳにおいて互いに接続されてもよい。示されているのはＦＥＴだが、バイポーラトランジスタ又はＩＧＢＴといった他の電流制御装置が使用されてもよい。
【００１６】
例示的な実施例のリップル低減回路は、リップルコンデンサ３２５と、第１ダイオード３３０と、第２ダイオード３３５と、第３ダイオード３４０と、第４ダイオード３４５とを含んでもよい。第１ダイオード３３０のアノードはリップルコンデンサ３２５に接続されてもよく、そのカソードは第１ＬＥＤセグメントＳＥＧ１の入力に接続されてもよい。第２ダイオード３３５のアノードは第１ＬＥＤセグメントＳＥＧ１の出力に接続されてもよい。第２ダイオード３３５のカソードはリップルコンデンサ３２５に接続されてもよい。第３ダイオード３４０のアノードはリップルコンデンサ３２５に接続されてもよく、第３ダイオード３４０のカソードは第４ＬＥＤセグメントＳＥＧ４の出力に接続されてもよい。第４ダイオード３４５のカソードはリップルコンデンサ３２５に接続されてもよく、第４ダイオード３４５のアノードは抵抗器３５０及び３５５で構成される分圧器に接続されてもよい。
【００１７】
動作中、図３の例示的な実施例に示す回路は、再充電位相、維持位相、直接位相、及び所定の条件下における待機位相の４つの位相で動作する。再充電位相では、リップルコンデンサ３２５は（ＶＲＡＣ−ＶＳＥＧ１）＞ＶＣＲＰＬの場合に再充電される。リップルコンデンサ３２５を充電できる最大の電圧は、ＬＥＤ  ＳＥＧ２，ＳＥＧ３，及びＳＥＧ４の第２、第３、及び第４セグメントにおける電圧降下の合計である。ＬＥＤの各セグメントに含まれるＬＥＤの数は、累積した電圧降下がリップルコンデンサ３２５の定格電圧を超えないように選択されてもよい。再充電位相では、電流が、第１ＬＥＤセグメントＳＥＧ１を通るパス３６０を辿ってリップルコンデンサ３２５を充電し、その後第３ダイオード３４０、単一制御点ＣＳ並びに抵抗器３５０及び３５５を通って放電する。第１ＬＥＤセグメントＳＥＧ１を通過することで、リップルコンデンサ３２５を再充電している間、回路から連続的な光が提供される。
【００１８】
維持位相では、整流ＡＣ電圧であるＶＲＡＣが、リップルコンデンサ３２５が第１ＬＥＤセグメントＳＥＧ１に電力を供給するように、リップルコンデンサ電圧ＶＣＲＰＬよりも大きく降下する。維持位相では、電流が、リップルコンデンサ３２５からパス３６１を辿って第１ＬＥＤセグメントＳＥＧ１、ＦＥＴ３０２、及び単一制御点ＣＳを通り、抵抗器３５０を通って放電するが、抵抗器３５５は通らない。再充電位相３６０と異なり、維持位相パス３６１は抵抗器３５５を含まないため、センス抵抗が軽減されて維持位相における電流が増加する。これにより、ＡＣ線から引き出される高い電流によって維持位相中の電流増幅が増すことで、線間電圧波形と線間電流波形との間のトラッキングを向上させることができる。
【００１９】
直接位相では、電流はパス３６２，３６３，３６４，及び３６５を辿る。回路はＶＣＲＰＬ＜ＶＲＡＣ＜（ＶＣＲＰＬ＋ＶＳＥＧ１）の場合に直接位相となり、このときＬＥＤセグメントはＡＣ線から直接供給される。直接位相が動作しているときのウインドウはＶＳＥＧ１によって決定される。直接位相では、電流が、電流調整器３００，３０５，３１０，及び３１５を流れ、単一制御点ＣＳを通り、抵抗器３５０及び３５５を通って放電する。
【００２０】
待機位相では、ＡＣ線間電圧は極めて低く、リップルコンデンサ３２５を十分に充電してＬＥＤ  ＳＥＧ１の第１セグメントに電力供給するには電圧が不足しており、ストローブが生じることがある。ストローブを回避するために、待機位相を回避するのが好ましい。
【００２１】
また、例示的な実施例のリップル低減回路を他の調整器回路と共に使用してもよい。例えば、図４は他の例示的な実施例に係るリップル低減回路を示す。図４を参照すると、例示的な実施例の回路は、リップルコンデンサ３２５と、第１ダイオード３３０と、第２ダイオード３３５と、第３ダイオード３４０と、第４ダイオード３４５とを含んでもよい。回路は４つのＬＥＤセグメントＳＥＧ１，ＳＥＧ２，ＳＥＧ３，及びＳＥＧ４も含んでもよい。第１ダイオード３３０のカソードはＬＥＤ  ＳＥＧ１の第１セグメントの入力に接続されてもよく、第１ダイオード３３０のアノードはリップルコンデンサ３２５に接続されてもよい。第２ダイオード３３５のアノードはＬＥＤ  ＳＥＧ１の第１セグメントとＬＥＤ  ＳＥＧ２の第２セグメントとの間に接続されてもよく、第２ダイオード３３５のカソードはリップルコンデンサ３２５に接続されてもよい。第１電流調整器４０５は、第２ダイオード３３５のアノード及び、ＬＥＤ  ＳＥＧ１の第１セグメントとＬＥＤ  ＳＥＧ２の第２セグメントとの間に接続されてもよい。
【００２２】
第２電流調整器４１０はＬＥＤ  ＳＥＧ２の第２セグメントとＬＥＤ  ＳＥＧ３の第３セグメントとの間に接続されてもよい。第３電流調整器４１５はＬＥＤ  ＳＥＧ３の第３セグメントとＬＥＤ  ＳＥＧ４の第４セグメントとの間に接続されてもよい。第３ダイオード３４０のアノードはリップルコンデンサ３２５に接続されてもよく、第３ダイオード３４０のカソードはＬＥＤ  ＳＥＧ４の第４セグメントの出力に接続されてもよい。第４電流調整器４２０もＬＥＤ  ＳＥＧ４の第４セグメントの出力に接続されてもよい。第４ダイオード３４５のカソードはリップルコンデンサ３２５に接続されてもよく、第４ダイオード３４５のアノードは接地されてもよい。
【００２３】
図５、図６及び図７は、図４の回路が動作できる３つの異なる位相を説明している。図５は、リップルコンデンサ３２５の電圧が使用してＬＥＤを供給する維持位相を示す。図４の回路は、整流ＡＣ電圧ＶＲＡＣがリップルコンデンサ３２５の電圧ＶＣＲＰＬよりも大きく降下すると維持位相に入る。維持位相の間、電流はＬＥＤの１つ以上のセグメントを流れてもよい。
【００２４】
図６は、ＬＥＤをＡＣ線から直接供給する直接位相を示す。図４の回路はＶＣＲＰＬ＜ＶＲＡＣ＜（ＶＣＲＰＬ＋ＶＳＥＧ１）の場合に直接位相になる。図７は、リップルコンデンサ３２５を再充電する再充電位相を示す。図４の回路では、電流がＬＥＤ  ＳＥＧ１の第１セグメントを流れて、リップルコンデンサが再充電されている間、連続的な光出力が提供される。回路は、整流電圧ＶＲＡＣとＬＥＤ  ＶＳＥＧ１の第１セグメントの電圧との間の差異がリップルコンデンサ３２５における電圧ＶＣＲＰＬよりも大きいときに再充電位相に入る。
【００２５】
図８は更に他の例示的な実施例に係るリップル回路を示す。図８の例示的な回路は、第２ダイオード３３５のアノードが第１ＬＥＤセグメントＳＥＧ１の２つのＬＥＤに接続され且つ第２ダイオード３３５のカソードがリップルコンデンサ３２５に接続されてもよいこと以外は、図４の例示的な回路と同様である。第１電流調整器４０５は第１ＬＥＤセグメントＳＥＧ１と第２ＬＥＤセグメントＳＥＧ２との間に接続されてもよい。図４の例示的な実施例と異なり、第１タップ位置（すなわち、第１電流調整器がＬＥＤストリングに接続する場所）が、第２ダイオード３３５がＬＥＤストリングに接続する場所とは異なるＬＥＤストリング上の位置にある。
【００２６】
図８の例示的な実施例では、第２電流調整器４１０は第２ＬＥＤセグメントＳＥＧ２と第３ＬＥＤセグメントＳＥＧ３との間に接続されてもよい。第３電流調整器４１５は第３ＬＥＤセグメントＬＥＤ３と第４ＬＥＤセグメントＳＥＧ４との間に接続されてもよい。第３ダイオード３４０のカソードはリップルコンデンサ３２５に接続されてもよく、第３ダイオード３４０のアノードは接地されてもよい。第４ダイオード３４５のアノードはリップルコンデンサに接続されてもよく、第４ダイオード３４５のカソードは第４ＬＥＤセグメントＳＥＧ４の２つのＬＥＤの間に接続されてもよい。第４電流調整器は第４ＬＥＤセグメントＳＥＧ４の出力に接続されてもよい。図８の回路は４つのＬＥＤセグメントを示しているが、回路はより多くの又はより少ないＬＥＤセグメントを含んでもよい。また、図８に示すように、電流調整器は、リップル低減回路のダイオードが接続されているＬＥＤストリング上の位置と同じ位置でＬＥＤストリングに接続されなくてもよい。
【００２７】
リップル低減回路の一般原理は、ＬＥＤ、ダイオード、電流調整器及びリップルコンデンサの多様な構成に適用でき、本明細書に示す例示的な構成に限定されない。
【００２８】
また、本開示の例示的な実施例に対して、本開示の発明概念を説明し示してきたが、これは本明細書に開示される例示的な実施例に限定されるものではなく、発明概念の範囲から逸脱することなく変形例が作られてもよい。
【図１】
2018530117.tif 000003
【図２】
2018530117.tif 000004
【図３】
2018530117.tif 000005
【図４】
2018530117.tif 000006
【図５】
2018530117.tif 000007
【図６】
2018530117.tif 000008
【図７】
2018530117.tif 000009
【図８】
2018530117.tif 000010
【国際調査報告】
2018530117.tif 000011
2018530117.tif 000012
2018530117.tif 000013